(57)【特許請求の範囲】
【請求項１】
足で踏んで足裏を加圧できる円柱状の棒体(20)を備える健康機器であって、
前記棒体(20)は、箱状の基台(30)に連結されており、
前記基台(30)は、内部に形成された収納隙間(9)から外部へと連続した開口部(32)を有すると共に、前記収納隙間(9)に固形状の炭(5)を収納しており、
前記基台(30)の内側には、通気性のシート(6)を設けて、さらにこの通気性のシート(6)の内側に前記炭(5)とかんなくず(10)を収納すると共に、この炭(5)の上にかんなくず(10)を収納して、かんなくず(10)でもって炭(5)を収納隙間(9)に敷き詰めてなることを特徴とする健康機器。
【請求項２】
請求項１に記載の健康機器において、
前記棒体(20)は前記基台(30)の所定の位置において、自在に脱着可能であることを特徴とする健康機器。
【請求項３】
請求項１または２に記載の健康機器において、
前記棒体(20)または／及び前記基台(30)の表面に凸部(21)が形成されていることを特徴とする健康機器。
【請求項４】
請求項１または２に記載の健康機器において、
前記棒体(20)または／及び前記基台(30)の表面には小穴(22)が形成されており、
該小穴(22)に嵌合し、かつ該小穴(22)に脱着できる取付部材(23)を有することを特徴とする健康機器。
【請求項５】
請求項４に記載の健康機器において、
前記取付部材(23)が前記小穴(22)に嵌合された姿勢での前記取付部材(23)の外面は、前記棒体(20)または／及び前記基台(30)の表面の外面に沿うことを特徴とする健康機器。
【請求項６】
請求項１ないし５のいずれか一に記載の健康機器において、
前記棒体(20)と基台(30)とが間伐材からなることを特徴とする健康機器。
【発明の詳細な説明】
【技術分野】
【０００１】
本発明は、健康機器に関し、特に足裏を押圧する健康機器に関する。
【背景技術】
【０００２】
人体の経穴とは、俗にツボと呼ばれ、はりをうつ、あるいはきゅうをすえる等、刺激を加えることによって、このツボと離れた場所に反応を起こして病変を好転させることのできる部位である。特に足には多くのツボがあり、そのツボの多くは足の裏にある。例えば、足裏のツボと、これに反応する内蔵や器官を簡単に説明すると、あぐらをかいた人の体を真後ろから見た状態の内蔵や器官の位置と、足の親指を上にした方向での足裏におけるツボの分布領域とが重なり合う。具体的に、足裏において、親指を頭として親指の付け根が首、そこからかかとへ向かって気管支、肺、胃、腸から膀胱へと相当する。このように、足裏には内臓や器官に効くツボが並んでいる。このツボを押したり、もんだりすると、関連のある器官と生理機能が刺激を受けて、血液循環がよくなり体調が改善する。このような効果を得るため、以前より、青竹踏みが利用されている。すなわち、中空の太い青竹を縦半分に割って略半円柱状とし、この半円柱状の水平面を下にして青竹を床面等に載置させる。この状態で青竹表面の曲面の頂部を足で踏むことにより、足の裏にあるツボを刺激して健康を改善・維持する方法がとられている。
【０００３】
また、足裏のツボを刺激すると共に、足の臭いの脱臭効果を備える足裏用健康具が特許文献１に開示されている。この足裏用健康具１００を図１６に示す。図１６（ａ）は足裏用健康具１００の平面図、図１６（ｂ）は（ａ）のＩＢ−ＩＢ’線における断面図、図１６（ｃ）は足裏用健康具１００の正面図である。また、この足裏用健康具１００は、図１７（ａ）に示すように足裏の指の付け根部位や、図１７（ｂ）のように土踏まずの部位に装着されて、これらの部位を刺激する。具体的に、図１６の足裏用健康具１００は、円筒状のパイプ１０１と、このパイプ１０１を足裏の所定の位置に貼り付けて固定する粘着シート１０２とを備える。パイプ１０１には、円柱状の穴である貫通容孔１０３が設けられており、この貫通容孔１０３内に、円柱状に成形された消臭固形剤１０４を充填する。さらに、貫通容孔１０３は、消臭固形剤１０４を出し入れ可能な大きさの開口部を有しており、この開口部は閉塞蓋１０５でもって閉塞される。ただ、閉塞蓋１０５は、貫通容孔１０３内の消臭固形剤１０４が抜け落ちない程度の隙間を備える網状部材等で構成されており、この隙間でもって通気性を確保している。
【０００４】
使用者が、上記の足裏用健康具１００を足裏の所定の位置に装着して立ち上がれば、この足裏用健康具１００から足裏に押圧力が加わって、ツボを継続的に刺激できる。また、同時に足裏用健康具１００内の消臭固形剤１０４でもって足裏の悪臭を除去できるため、快適に使用できる。
【特許文献１】特開２００６−２９６６２６号公報
【特許文献２】特開２００３−６７４号公報
【発明の開示】
【発明が解決しようとする課題】
【０００５】
しかしながら、上記の足裏用健康具１００は、図１７に示すように、足裏に比べてかなり小さい。したがって、当接するパイプ１０１内に収納できる程度の消臭固形剤１０４の量では、消臭能力が不十分である問題があった。
【０００６】
また、上記の青竹や足裏用健康具であれば、ツボの刺激の度合いを調節する際に、自らの体重のかけ具合でもって、器具から足裏への押圧力を制御する必要がある。例えば、強い刺激を得る場合、起立状体で器具を踏みつけて使用者の全体重をかける。または必要に応じて足を交互に上げて、全体重を片足の裏面にのせることで、足裏への押圧力を高めることができる。しかしながら、この際、床面に載置しただけの青竹は、中が空洞で軽いこともあって、当初の静置位置から移動してしまい使用者がバランスを失ったり、あるいは過度の押圧により青竹が割れたりするおそれがあった。
【０００７】
さらに、図１６の足裏用健康具１００においても強度の問題があった。足で踏まれるパイプ１０１は、使用者の体重が直接かかる上に、特に表面積が小さいパイプ１０１ではその圧力が集中する。しかしながら、パイプ１０１には、その内部に消臭固形剤１０４を収納できる大きさの貫通容孔１０３が設けられているため、強度が低減する。また、パイプ１０１の表面には、この貫通容孔１０３に消臭固形剤１０４を出し入れできる大きさの開口部が形成されている。加えて、通気性や消臭効果を維持するため、この貫通容孔１０３の開口部は完全に閉塞されておらず、その閉塞蓋１０５には隙間を有する。このようにパイプ１０１の中央内に孔を設け、さらに、この孔を閉塞しない構造であると、強度が著しく低減し使用の際に破壊するおそれがあった。
【０００８】
本発明は上記の問題点を解決することを目的に開発されたものである。本発明の主な目的は、足裏の刺激の度合いを調節でき、かつ、十分な消臭能力と耐久性を備える健康機器を提供することである。
【課題を解決するための手段】
【０００９】
上記の目的を達成するために、本発明の第１の健康機器は、足で踏んで足裏を加圧できる円柱状の棒体２０を備える健康機器であって、棒体２０は、箱状の基台３０に連結されている。この基台３０は、内部に形成された収納隙間９から外部へと連続した開口部３２を有すると共に、収納隙間９に固形状の炭５を収納しており、前記基台３０の内側には、通気性のシート６を設けて、さらにこの通気性のシート６の内側に前記炭５とかんなくず１０を収納すると共に、この炭５の上にかんなくず１０を収納して、かんなくず１０でもって炭５を収納隙間９に敷き詰めていることを特徴とする。
【００１０】
また、本発明の第２の健康機器は、棒体２０は基台３０の所定の位置において、自在に脱着可能である。
【００１１】
また、本発明の第３の健康機器は、棒体２０または／及び基台３０の表面に凸部２１が形成されていることを特徴とする。
【００１２】
また、本発明の第４の健康機器は、棒体２０または／及び基台３０の表面には小穴２２が形成されており、小穴２２に嵌合し、かつ小穴２２に脱着できる取付部材２３を有することを特徴とする。
【００１３】
また、本発明の第５の健康機器は、取付部材２３が小穴２２に嵌合された姿勢での取付部材２３の外面が、棒体２０または／及び基台３０の表面の外面に沿うことを特徴とする。
【００１４】
【００１５】
また、本発明の第６の健康機器は、棒体２０と基台３０とが間伐材からなることを特徴とする。
【発明の効果】
【００１６】
本発明の健康機器は、足裏のツボを刺激する際に、安定して足裏を押圧できる。これは、足裏と当接する円柱状の棒体が、箱状の基台に連結されているからである。箱状の基台に棒体を固定することで、基台が棒体をしっかりと支持して棒体の位置ずれを防ぐ。また、本発明の健康機器は、十分な消臭効果を奏する。これは、脱臭効果を有する炭を、棒体の内部ではなく、基台の内部に設けられた収納隙間に収納するからである。基台の内部は棒体の内部と比べて収容量が大きい。さらに、基台のサイズを調節することで内部の収容量を自在に変更でき、収容量の自由度も高い。また、基台の内部に炭を収容することで、炭の重量により基台の安定度が一層増す。加えて、棒体側に収容のための空隙を設ける必要がないため、棒体の強度が有効に維持されて破壊を防止できる。
【発明を実施するための最良の形態】
【００１７】
以下、本発明の実施例を図面に基づいて説明する。ただし、以下に示す実施例は、本発明の技術思想を具体化するための健康機器を例示するものであって、本発明は健康機器を以下のものに特定しない。さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【実施例１】
【００１８】
（構成）
実施例１に係る健康機器１の斜視図を図１に示す。健康機器１は、円柱状の棒体２０と、この棒体２０を支持する箱状の基台３０を備える。使用者がこの健康機器１を使用する際、棒体２０の上側に足裏を当接させると同時に、この棒体２０を踏みつけるなどして棒体２０側へと押圧力を加える。すると反作用によって棒体２０側から足裏へと加圧されて、足裏のツボを刺激する。したがって、健康機器１を構成する棒体２０や基台３０には、使用者の体重に相当する力がかかるため、頑丈であることが好ましい。棒体２０及び基台３０はスギやヒノキの間伐材で制作される。杉やヒノキの間伐材からなる天然木の無垢材は高い強度を備える上に、意匠的にも美しく触感や木の香りが良好であるため好適である。ただ、健康機器１を構成する部材は、天然木に限定されず、例えばチップを集めて圧縮させた集積材や、石、磁石などの鉱物質、あるいは金属材質などの硬質材、またはこれらを組み合わせたり、加工したものも利用できる。
【００１９】
また、図１の棒体２０は円柱状である天然木材の底面を平面状に削ったものである。この棒体２０は、使用者の足裏に接触する上面を円柱に沿う形状としている。図１に示す棒体２０は、足裏のくぼんだ領域、すなわち土踏まずに当接されて、棒体２０の曲面が足裏を快適に押圧して効果的に刺激できる。
【００２０】
また、図１の棒体２０は、下側を平面状に加工している。この構造は、棒体２０の平面と基台３０の表面３３とを、略隙間無く面接触できるため、棒体２０を基台３０の上に安定して固定できる。図１の例では、棒体２０の長さを、矩形状の基台３０の長辺と略同じとし、また、棒体２０が長手方向の全てにわたって、基台３０と接面することで一層の安定を得ている。
【実施例２】
【００２１】
一方、棒体２０を基台３０より自在に脱着可能とし、基台３０の所定の位置へ移動させて使用することもできる。このような特徴を有する健康機器４０を実施例２として、その分解斜視図を図２に示す。また、実施例１と同様の部材には同一の符号を付しており、適宜詳細な説明を省略する。
【００２２】
図２に示すように、基台３０の表面３３において、矩形状の対向する短辺（図２における基台３０の左右の辺）に、複数のガイド穴３４が設けられている。ガイド穴３４は、各々の短辺の、両端部と中央部の３箇所に設けられており、すなわち、対向する２辺において対向する２つのガイド穴３４を一組とした場合、３組設けられている。一方、棒体２０は、基台３０と当接する側（図２の下側）に、突起部２４を設けている。突起部２４は、棒体２０の長さ方向における両端部に形成されており、突起部２４の離間距離は、上述の一組のガイド穴３４の離間距離に略等しい。また、突起部２４の外面形状は、基台３０側に形成されたガイド穴３４の内面形状に略等しい。
【００２３】
図２の矢印に示すように、基台３０側の一組のガイド穴３４と、棒体２０側の突起部２４は嵌合可能であり、これにより基台３０と棒体２０とが連結される。また、突起部２４は、ガイド穴３４より自在に脱着可能であって、各組のガイド穴３４に突起部２４を適宜嵌合させることで、基台３０の所定の位置に棒体２０を移動できる。また、基台３０に連結される棒体２０の個数は特に限定されない。実施例２の健康機器４０であれば、使用者の足のサイズや、健康機器４０の載置場所、環境など種々の状況に応じて、基台３０に対する棒体２０の位置を適宜選択できる。
【００２４】
さらに、基台３０と棒体２０の連結構造は上記の手段に限定されない。例えば、双方に装着された器具同士を係合させて連結させる構造や、別個の部材でもって双方の部材の連結状態を維持する構造など、種々の手段が採用できる。
【実施例３】
【００２５】
また、棒体２０の表面形状は一様ではなく、表面の一部に高さの変化をもたせて、足裏への刺激の度合いを種々のものとできる。このような健康機器５０を実施例３とし、その斜視図を図３に示す。実施例３に係る棒体２０は、その表面に複数の凸部２１を有する。図３の例では、半球状の凸部２１が、棒体２０の曲面から外側に突出して形成されている。これにより、この凸部２１の頂部でもって足裏をピンポイントに刺激でき、押圧力が高まる。
【００２６】
また、凸部２１は、主に棒体２０が足裏と当接される側（図３における上側）に偏在して配列されている。ただ、配列パターンはこれに限定されない。例えば、凸部２１を無作為に配列して、近接するツボを同時に押圧可能としたり、また、凸部２１の形成領域において過密領域と過疎領域とを区分けして、使用者が踏みつける領域を選択することで足裏への押圧度や、押圧領域に変化を持たせたりもできる。また、凸部２１の大きさや形状は種々のものとできる。さらに一の棒体２０に連結される凸部２１の種類は限定されず、例えば、凸部２１を二種以上として、皿状の凸部では足裏への押圧領域を広くしたり、また尖塔状の凸部では押圧力を増したりと、種々の押圧パターンとできる。
【００２７】
このような凸部２１は、棒体２０に変わって、あるいは棒体２０に加えて、基台３０の表面３３にも形成できる。棒体２０と基台３０の双方に凸部２１が設けられる際も、部材や設置場所に応じて、種々の凸部２１を採用できることは言うまでもない。例えば、平面状の基台３０に足形を記載し、この足形の内側領域に、足裏のツボの分布部位にあわせて、凸部３０を設けてもよい。これにより、使用者が足裏をこの足形に位置あわせして基台３０に乗ると、しかるツボが刺激される。
【００２８】
また、実施例３において、基台３０と棒体２０との連結状態は特に限定されず、双方を固定した状態、あるいは脱着状態に連結することができる。さらに、凸部２１を棒体２０や基台３０の表面に固定する方法も特に限定されない。例えば、接着材での貼り付けや、予め被装着面に尖状のピンを設け、これに凸部２１を差し込むなど、双方の部材を安定して固着できる方法が適宜採用される。
【実施例４】
【００２９】
また、実施例３の凸部２１を棒体２０や基台３０に固着せずに、取付部材として脱着可能としてもよい。このように、取付部材をアタッチメント式に連結可能な健康機器６０を実施例４として、その斜視図を図４に示す。
【００３０】
実施例４の健康器具６０は、棒体２０、もしくは基台３０、または棒体２０と基台３０の双方の表面に形成された複数の小穴２２と、この小穴２２に嵌合可能な取付部材２３とを有する。取付部材２３は、小穴２２に挿入される軸２３ａと、軸２３ａに連結された頭部２３ｂとから構成される。また、取付部材２３は、頭部２３ｂを備えず軸２３ａのみとすることもできる。軸２３ａの外面形状は、小穴２２の内面形状に略一致しており、これにより取付部材２３を小穴２２に挿入した際、軸２３ａでもって小穴２２を閉塞できる。また、頭部２３ｂの径は軸２３ａの径よりも大きく、したがって、頭部２３ｂは小穴２２内へと挿入されず、棒体２０の表面から外方へと突出した構造となる。この突出した頭部２３ｂが、実施例３の凸部２１に相当し、足裏への押圧力を高めることとなる。なお、図４の例では、小穴２２及び軸２３ａの形状を円柱状として製造を容易としたが、これらの形状は特に限定されない。
【００３１】
また、図４に示すように、取付部材２３において、頭部２３ｂの形状や大きさを変化させることで、実施例３と同様、突出部を種々のパターンとできる。さらに、取付部材２３が小穴２２に嵌合された姿勢での取付部材２３の外面を、棒体２０または基台３０の表面の外面に沿う形状とすることができる。言い換えると、取付部材２３が頭部２３ｂを備えておらず、軸２３ａでもって小穴２２を閉塞するのみで、取付部材２３を小穴２２に装着した際に、突出部が形成されない。また、実施例４において、小穴２２は部材の表面のみに設けられて、内部まで達することはないため、部材への強度の影響は極小に抑制できる。さらに、突出部を設けない場合であっても、取付部材２３の軸２３ａでもって小穴２２を閉塞できる構造とすることで、常に小穴２２を塞ぐことができ耐久性が一層高まる。さらに、実施例４の健康機器６０であれば、使用者は状況に応じて種々の取付部材２３を選択でき、これを所望の小穴２２に嵌合させることで、取付部材２３の位置、種類の組み合わせの自由度が広がる。
【００３２】
（基台）
また、実施例１〜４に採用される基台３０は、以下に記す特徴を共通に備える。まず、基台３０の構成を図５を用いて説明する。図５は健康機器１の分解斜視図である。健康機器１は、円柱状の棒体２０と、この棒体２０を支持する基台３０とを備える。基台３０を構成する木枠１４は、健康機器１の主要な骨組みとなる。また、基台３０は、この木枠１４の内側領域に炭５を収納しており、さらにかんなくず１０、シート６を介して、木枠１４の上下面に第１の格子材７及び第２の格子材８とを固定して得られる。各部材の連結手段は特に限定されないが、実施例では、各部材の連結にねじ釘４を採用することで、部材を強固に固着している。また、図５の例では、基台を矩形状の箱体としているが、その形状及び長短の比率は特に限定されず、種々の形状や大きさとできる。
【００３３】
また、図６〜１１は組み立てられた健康機器１の説明図である。具体的に図６は健康機器の上面側からの斜視図、図７は健康機器の下面側からの斜視図、図８は健康機器の平面図、図９は健康機器の底面図、図１０は健康機器の側面図、図１１は図６のＸＩ−ＸＩ’線における断面図を、それぞれ示す。また、各図において同一の部材には同一の符号を付して適宜詳細な説明を省略する。
【００３４】
図６〜１１に示すように、基台３０の第１の格子材７と第２の格子材８は、それらの間に収納隙間９ができよう、離間して対向している。さらに、第１の格子材７と第２の格子材８は、それぞれ、複数の木材を間に隙間ができる格子状に連結しているものである。すなわち、基台３０は、内部に形成された収納隙間９から外部へと連続した開口部３２を有する。また、図１１に示すように、この収納隙間９には固形状の炭５が収納されている。さらに、この収納隙間９にあって、第１の格子材７と第２の格子材８の内側には、通気性のシート６を設けている。また、基台３０は、この通気性のシート６の内側に炭５を収納すると共に、この炭５の上にかんなくず１０を収納して、かんなくず１０でもって炭５を収納隙間９に敷き詰めている。
【００３５】
また、図１２〜図１４は、健康機器における基台３０の製造工程を示す説明図である。これを用いて実施例に係る基台３０の製造方法を以下に説明する。まず、骨格となる木枠１４を製造する。具体的に、図１２に示すように、木枠１４は、四方を囲んだ矩形状であって、対向する一組の辺を支持する支持材１２と、この支持材１２に直交する横木１５とから構成される。さらに、対向する横木１５の中央部を架橋する桟１３が設けられており、これにより木枠１４の内側領域９が等分される。すなわち内側領域９が区分けされることで、ここに収容される炭の固定が一層安定する。また、桟１３を架け渡すことで木枠１４の強度が高まる。加えて、後述するシートを木枠１４に貼り付ける際に、シートのシワやたわみを抑制できる。
【００３６】
また、図１２の例では、支持材１２が断面ト字状に一体形成されている。すなわち、支持材１２は、支持材１２の高さ方向の中央近傍から、木枠１４の内側方向へ突出した突出領域１２ａを有する。この突出領域１２ａの、長手方向における両端に、横木１５がねじ釘４でもって連結されている。横木１５と突出領域１２ａは略直角に配置され、また双方の表面は水平に構成されている。言い換えると、木枠１４において、支持材１２の上下面は横木１５の形成面よりも上下に突出した構造である。
【００３７】
次に、木枠１４の下面側（図１２における下面側）に、シート６が貼付される。シート６は通気性のある面状のものであり、布、不織布などが利用できる。また、シート６は抗菌作用のある液体に含浸でき、したがって液体を含蓄可能な素材が好ましい。具体的な液体としては、例えば木酢液や竹酢液とでき、さらにはタールの含有量が少ない竹酢液が一層好ましい。竹酢液は、竹炭を焼くときに発生する煙を冷却して採取した液体であり、ｐＨ２．５〜３．５の酸性を示す。また、殺菌・止痒・消炎・消臭・抗酸化性等の効果を有する。実施例では竹酢液に含浸した布を採用した。
【００３８】
また、シート６は、木枠１４内に配置される炭５及びかんなくず１０が基台３０の外部に漏出するのを抑止する。したがって、シート６は、木枠１４の四方の表面と密着して装着することが好ましい。シート６と木枠１４との装着手段は特に限定されず、例えば、両面テープ、酢酸ビニルなどの接着材が利用でき、中でもデンプン、にかわ、カゼイン、天然ゴム、セラック、タールなどの天然物が好適である。
【００３９】
また、図９、図１１に示すように、木枠１４の下面側にはシート６を介して第２の格子材８が装着される。実施例では、幅５．４ｃｍ、長さ６０ｃｍ、厚み３６ｍｍの複数の杉板材１１を、隙間を介して配置し、ねじ釘４でもって支持材１２に打ち付けて双方を連結して第２の格子材８とした。第２の格子材８の下面が、支持材１２の下面と水平になるよう構成されることが好ましい。これにより、基台３０を床面等に載置した際、支持材１２及び基台３０の双方が床面と当接するため、接面領域を増やして安定的に基台３０を載置させることができる。
【００４０】
次に、図１３に示すように、木枠１４で構成される収納隙間９に、炭５を敷き詰める。炭とは、木や竹などを蒸し焼きのように無酸素で加熱をすることで熱分解させ、ほぼ炭素だけが残った状態のものを指す。炭は、木の組織構造が残存し、小さな孔である気孔が無数に生じるため、吸着性に優れる。また、空気や水の浄化、消臭、調湿などの効果を有する。このような炭としては木炭や竹炭が利用できる。実施例では竹炭を１層だけ敷き詰めた。竹炭は木炭と比べて表面積が大きく、また細孔の半径がより小さいため、吸着力がより高く好適である。また、配置される炭は単層でなくてもよい。複層の場合は層間にかんなくずを介入させることで、消音、炭の安定が増す。
【００４１】
さらに、図１１、図１４に示すように、炭５の上にかんなくず１０を積層させる。かんなくず１０は、かんなで材木を薄く削ってできる薄い木片である。かんなくずの形状は各様であって、例えば細長く連続したものや丸みを帯びたものなどが挙げられる。また、かんなは、木の台に形成された溝に刃物をはめこんだ工具であり、電動型或いは手動型のものが利用できる。さらに、かんなを構成する各部材の形状や、台に対する刃の角度などは特に限定されず、被削面の形状や寸法に応じて種々のものを採用できる。
【００４２】
かんなくずが炭の収納領域内の空間領域にほぼ充填されることで、炭の余白スペースを埋める。これにより、隣接するかんなくず間に生じた空気層でもって、衝撃と振動の両方を吸収できるため緩衝材となる。さらには、炭の移動を抑止できる。実施例では、図１５に示すように、回転刃を有する電動かんなでもって削られた木くずを積層させた。これにより、丸みを帯びた木くずとなり、隣接する木くず間のみならず、木くず内部の空洞に空気層を含有して、一層のクッション性が増す。
【００４３】
また、かんなくず１０は杉、ひのき等の木材が利用でき、実施例ではひのきを使用した。これによりかんなくず自身が天然の香りを放出して好ましい。この他、フィトンチッドを含有する植物製油をかんなくず１０やシート６に含浸させることもできる。フィトンチッドとは、樹木が作り出し発散する揮発性物質であり、その主な成分はテルペン類の有機化合物である。フィトンチッドは、芳香に富む他、抗菌、防虫、消臭の効果があり、竹炭、竹酢液との効果に相俟って好ましい。
【００４４】
さらに、図１４に示すように、木枠１４の上面に、炭５及びかんなくず１０を封鎖するようシート６を装着する。これにより、かんなくず１０が炭５とシート６との間に介在して、木枠１４内の間詰めとなり、したがって炭５の移動空間が極限する。さらに、かんなくず１０が炭を上から押圧して、炭を定位置に位置ずれしないよう固定する。また、木枠１４の上面に装着されるシート６は、木枠１４の下面側に貼付されたものと同様のものが採用できる。次に、図６、図１１に示すように、該シート６を介して、木枠１４の上面側に、幅５．４ｃｍ、長さ７０ｃｍ、厚み３６ｍｍの複数の杉板材１１が互いに隙間を有するよう配列される。これらの杉板材１１と、支持材１２の上面とを、ねじ釘４でもって連結することにより基台３０とできる。
【００４５】
上記の方法で得られた実施例の健康機器は、基台の収納隙間に、順番に通気性のシート、炭、かんなくず、通気性のシートを収納している。木材をかんなで切削してできるかんなくずは、木材が薄くスライスされたもので、自由に変形できる柔軟なクッション性がある。このかんなくずは、炭の上に収納されて、炭を上から押圧して定位置に位置ずれしないように敷き詰める。さらに、かんなくずは木材をスライスしたものであるから、空気を自由に通過させる通気性がある。したがって、かんなくずを空気が自由に通過して、その下に敷き詰めている炭でもって、空気中の水分を効果的に吸湿できる。すなわち、かんなくずは、炭を位置ずれしないように収納隙間に敷き詰めながら、炭が空気中の水分を吸湿する作用を阻害しない。このため、この実施例の健康機器は、収納隙間に収納している炭の位置ずれが防止され、同時に炭の摩擦による騒音、欠けの発生を抑制できる。また、炭の配置位置が固定されることにより、例えば積層量を均等に配置された炭が、移動によってその一部が重畳されて、基台の部位によって炭の積層に高低差が生じるのを防げる。
【００４６】
また、図７に示すように、支持材１２の下面側に切り欠き部３１を有することが好ましい。また、切り欠き部３１は、第２の格子材８が連結していない領域、すなわち第２の格子材８の隙間と隣接する領域に設けられる。これにより、基台３０内部の収納隙間９から、第２の格子材８の隙間、及び切り欠き部３１へと連続した開口領域が得られる。したがって、基台３０を床面等に載置して、支持材１２及び第２の格子材８が床面と当接した際にも、この切り欠き部３１が外方へと開口されて通気口の役割を担い、基台３０の通気性が有効に維持される。すなわち、基台３０は上面の開口部のみならず、下面側からも通気性を維持できるため、炭の消臭効果を効率良く発揮することができ、高い消臭能力を有する。また、切り欠き部３１の形状、形成個数、及び切り欠きの深さは特に限定されないが、図７の例では、切り欠き部３１を三角状とし、加工を容易とした。
【００４７】
このような構造を有する実施例１〜４の健康機器１、４０、５０、６０は、足裏の適所に所望の圧力を加えることができると共に、十分な消臭能力を備えるため、足裏のみならず、この健康機器が載置される広範囲領域においても消臭効果を発揮できる。また、使用に際しても高い耐久性を備える。
【産業上の利用可能性】
【００４８】
本発明の健康機器は、足裏のツボを刺激して健康を維持する健康機器、あるいは収納空間での湿気取りや脱臭を実現するすのことしても利用できる。
【図面の簡単な説明】
【００４９】
【図１】実施例１に係る健康機器の斜視図である。
【図２】実施例２に係る健康機器の分解斜視図である。
【図３】実施例３に係る健康機器の斜視図である。
【図４】実施例４に係る健康機器の斜視図である。
【図５】実施例に係る健康機器の分解斜視図である。
【図６】実施例に係る健康機器の上面側からの斜視図である。
【図７】実施例に係る健康機器の下面側からの斜視図である。
【図８】実施例に係る健康機器の平面図である。
【図９】実施例に係る健康機器の底面図である。
【図１０】実施例に係る健康機器の側面図である。
【図１１】図６のＸＩ−ＸＩ’線における断面図である。
【図１２】実施例に係る基台の一製造工程である。
【図１３】実施例に係る基台の一製造工程である。
【図１４】実施例に係る基台の一製造工程である。
【図１５】実施例に係るかんなくずの斜視図である。
【図１６】従来の足裏用健康具を示す図であり、（ａ）は足裏用健康具の平面図、（ｂ）は（ａ）のＩＢ−ＩＢ’線における断面図、（ｃ）は正面図である。
【図１７】（ａ）は従来の足裏用健康具の使用例を示す説明図、（ｂ）は足裏用健康具の別の使用例を示す説明図である。
【符号の説明】
【００５０】
１、４０、５０、６０…健康機器
４…ねじ釘
５…炭（竹炭）
６…シート
７…第１の格子材
８…第２の格子材
９…収納隙間（木枠の内側領域）
１０…かんなくず
１１…板材（杉板材）
１２…支持材
１２ａ…突出領域
１３…桟
１４…木枠
１５…横木
２０…棒体
２１…凸部
２２…小穴
２３…取付部材
２３ａ…軸
２３ｂ…頭部
２４…突起部
３０…基台
３１…切り欠き部
３２…開口部
３３…表面（基台の表面）
３４…ガイド穴
１００…足裏用健康具
１０１…パイプ
１０２…粘着シート
１０３…貫通容孔
１０４…消臭固形剤
１０５…閉塞蓋
【図１】
0005053031.tif 000002
【図２】
0005053031.tif 000003
【図３】
0005053031.tif 000004
【図４】
0005053031.tif 000005
【図５】
0005053031.tif 000006
【図６】
0005053031.tif 000007
【図７】
0005053031.tif 000008
【図８】
0005053031.tif 000009
【図９】
0005053031.tif 000010
【図１０】
0005053031.tif 000011
【図１１】
0005053031.tif 000012
【図１２】
0005053031.tif 000013
【図１３】
0005053031.tif 000014
【図１４】
0005053031.tif 000015
【図１５】
0005053031.tif 000016
【図１６】
0005053031.tif 000017
【図１７】
0005053031.tif 000018